(57)【要約】  【課題】  簡単な構成により光ディスクの回転時に発生する騒音を効果的に低減することができる光ディスク装置のトレイを提供する。【解決手段】  光ディスク１を載置する載置部３と、この載置部３上で前記光ディスク１を回転可能に保持するターンテーブルを突出させる中心孔３ｂとを設けた光ディスク装置のトレイ２を構成する場合、平面視略ハ字状の突起からなり、前記光ディスク１の回転方向に沿って流れる空気を漸次拡大する気流と漸次収束する気流とに変化させる複数の気流制御部５を、前記載置部３の底板３ａ上で前記載置部３の中心孔３ｂ側から径外方向に向けて放射状に配設してなる。【選択図】      図１
2008282442.tif 000002
【特許請求の範囲】
【請求項１】
光ディスクを載置する載置部と、この載置部上で前記光ディスクを回転可能に保持するターンテーブルを突出させる中心孔とを設けた光ディスク装置のトレイにおいて、
前記光ディスクの回転方向に沿って流れる空気を漸次拡大する気流と漸次収束する気流とに変化させる複数の気流制御部を、前記載置部の底板上で前記載置部の中心孔側から径外方向に向けて放射状に配設してなる光ディスク装置のトレイ。
【請求項２】
前記気流制御部が、平面視略ハ字状の突起であり、相隣り合って配列されてなることを特徴とする請求項１に記載の光ディスク装置のトレイ。
【請求項３】
前記気流制御部が、前記載置部の中心孔側から径外方向に向けて延出する突状部の各上面に、平面視略台形状に形成した凹溝であり、前記突状部の長さ方向に沿って配列されてなることを特徴とする請求項１に記載の光ディスク装置のトレイ。
【請求項４】
光ディスクを載置する載置部と、この載置部上で前記光ディスクを回転可能に保持するターンテーブルを突出させる中心孔とを設けた光ディスク装置のトレイにおいて、
平面視略ハ字状の突起からなり、前記光ディスクの回転方向に沿って流れる空気を漸次拡大する気流と漸次収束する気流とに変化させる複数の気流制御部を、前記載置部の底板上で前記載置部の中心孔側から径外方向に向けて放射状に配設してなる光ディスク装置のトレイ。
【発明の詳細な説明】
【技術分野】
【０００１】
本発明は、ＣＤやＤＶＤ等の光ディスクに情報を記録または記録情報を再生する光ディスク装置に係り、特に、光ディスクの回転時に発生する騒音を低減し得る光ディスク装置のトレイに関する。
【背景技術】
【０００２】
ディスクトレイに載置される光ディスクを光ディスクドライブにより高速回転させると、空気との摩擦や抵抗および渦流の発生等によって騒音や振動が発生し、視聴者に不快感を与えるうえ、光ディスクドライブの記録・再生機能を劣化させる問題がある。
【０００３】
そこで、この問題を軽減させるために、ディスクトレイ及びこれを採用した光ディスクドライブが提案されている。
このものは、光ディスクに／から情報を記録／再生する光ピックアップ装置がアクセスできるように、載置面にウインドウを貫通形成している。そして、このウインドウの縁部から内側に向けて突出部を設けることにより、当該ウインドウにて光ディスクの回転時に生じる渦を空間的に制限する渦制限手段としている。
【０００４】
すると、小さなエネルギーを有する多数の渦または空間的に制限された渦のため、ウインドウ部分の圧力が突出部の無い場合の大きな渦により生じた圧力より低くなる。
【０００５】
従って、ウインドウ部分の圧力とこのウインドウの左右両側エリヤの圧力との差が小さくなり、圧力の急激な変化が緩和されて、光ディスクの回転時における騒音や振動が減少するというものである。
【特許文献１】特開２００３−３０３４８４号公報また、光ディスクの風切り音の発生を防止し、かつ光ディスクの回転に伴う空気の流れをスムーズにすることを目的とした光ディスク装置のトレイも提案されている。この光ディスク装置のトレイは、光ディスクを載置させるように凹設された載置部と、この載置部の中心から光ディスクの移動方向に沿って開口した開口部とを有している。また、前記載置部の底面の開口部との縁部において、載置された光ディスクとの間の隙間が開口部に向けて徐々に広がるように傾斜面を形成した構成となっている。これにより、光ディスクと載置部の底面との間で圧縮された空気が開口部へ流出する際に、光ディスクと底面との間の間隙が徐々に拡がって空気の圧力が徐々に低下し、開口部へ空気が流出する際に圧力が一気に開放されるのが防止される。また、傾斜面に１または複数の窪みを形成してあるため、この傾斜面に接する空気に小さな乱気流が生じ、開口部へ空気をスムーズに流出させて、風切り音の発生を防止することができる。
【特許文献２】特開２００３−１７８５７０号公報さらに、光ディスクの回転に伴って発生する風切り音を低減させる光ディスクドライブ装置も提案されている。この光ディスクドライブ装置は、トレイの受け皿の周辺部に、この受け皿上に光ディスクを保持したときに、光ディスク部を超える高さを有した外周壁が突設されている。この外周壁は、全ての部分において光ディスク面の高さを超える構成となっている。これにより、光ディスクが回転したとき、外周壁が騒音の主原因である風切り音の防音壁となるため、光ディスクドライブ装置の騒音を低減することができるというものである。
【特許文献３】特開２００３−５９２５１号公報
【発明の開示】
【発明が解決しようとする課題】
【０００６】
ところで、上記特許文献１の発明は、トレイの載置面にウインドウを貫通形成し、このウインドウの縁部から内側に向けて突出部を設けることにより、騒音や振動の減少を図るものであるが、トレイの構造が複雑となるため、製作が難しくなるという欠点があった。
また、特許文献２の発明は、載置部の底面の開口部との縁部に傾斜面を設け、光ディスクの回転時、開口部へ空気が流出する際に圧力が一気に開放されるのを防止して騒音を減少させようとするものであるが、気流の出口側である傾斜面の後方に規則的な渦となる、いわゆるカルマン渦が発生し易く、騒音を低減するには一定の限界があった。
さらに、特許文献３の発明は、トレイの受け皿の周辺部に光ディスク部を超える高さを有した外周壁を突設することにより、騒音の低減を図るものであるが、騒音の発生源を根本的に改善するものではないため、外周壁との間隙から騒音が外部に漏れるという問題が残されていた。
本発明は、上記課題に鑑みてなされたもので、簡単な構成により光ディスクの回転時に発生する騒音を効果的に低減することができる光ディスク装置のトレイを提供することを目的としている。                 
【課題を解決するための手段】
【０００７】
上記目的を達成するため、本発明は、光ディスクを載置する載置部と、この載置部上で前記光ディスクを回転可能に保持するターンテーブルを突出させる中心孔とを設けた光ディスク装置のトレイにおいて、前記光ディスクの回転方向に沿って流れる空気を漸次拡大する気流と漸次収束する気流とに変化させる複数の気流制御部を、前記載置部の底板上で前記載置部の中心孔側から径外方向に向けて放射状に配設してなることを特徴としている。
また、前記気流制御部が、平面視略ハ字状の突起であり、相隣り合って配列されてなることを特徴としている。
また、前記気流制御部が、前記載置部の中心孔側から径外方向に向けて延出する突状部の各上面に、平面視略台形状に形成した凹溝であり、前記突状部の長さ方向に沿って配列されてなることを特徴としている。
さらに、本発明は、光ディスクを載置する載置部と、この載置部上で前記光ディスクを回転可能に保持するターンテーブルを突出させる中心孔とを設けた光ディスク装置のトレイにおいて、平面視略ハ字状の突起からなり、前記光ディスクの回転方向に沿って流れる空気を漸次拡大する気流と漸次収束する気流とに変化させる複数の気流制御部を、前記載置部の底板上で前記載置部の中心孔側から径外方向に向けて放射状に配設してなることを特徴としている。
【発明の効果】
【０００８】
以上のように本発明は、トレイの載置部の底板上でこの載置部の中心孔側から径外方向に向けて放射状に気流制御部を複数配設しており、光ディスクが回転したとき、この回転方向に沿って流れる空気を漸次拡大する気流と漸次収束する気流とに変化させるので、それぞれの気流制御部の後方に小さな不規則性の渦流が生じ、規則的な渦流による空気振動の発生が抑制され、騒音のレベルを低減することができる効果がある。
また、前記気流制御部が、平面視略ハ字状の突起であり、相隣り合って配列されているので、簡単な構成により不規則性の渦流を生させ易く、騒音レベルの低減を図ることができる利点がある。
また、前記気流制御部が、前記載置部の中心孔側から径外方向に向けて延出する突状部の各上面に、平面視略台形状に形成した凹溝であり、前記突状部の長さ方向に沿って配列されているので、不規則性の渦流を生させ易く、騒音レベルをより低減することができる利点がある。
さらに、本発明は、平面視略ハ字状の突起からなり、光ディスクの回転方向に沿って流れる空気を漸次拡大する気流と漸次収束する気流とに変化させる複数の気流制御部を、トレイの載置部の底板上でこの載置部の中心孔側から径外方向に向けて放射状に配設しているので、それぞれの気流制御部の後方に小さな不規則性の渦流が生じ、規則的な渦流による空気振動の発生が抑制され、騒音レベルを低減することができる効果がある。
【発明を実施するための最良の形態】
【０００９】
以下、本発明に係る光ディスク装置のトレイの実施形態について、図面を参照しながら詳述する。
図１は、本発明の一実施形態に係る光ディスク装置のトレイを示す斜視図、図２は、同光ディスク装置のトレイを示す断面図である。
このディスク装置のトレイ２は、装置本体に対し進退自在に装着されるもので、上面に載置部３を凹設している。この載置部３は、光ディスク１よりも若干大きい直径で円形に凹設し、段差を生じさせている。
そして、その底板３ａの中心に中心孔３ｂを形成し、図２に示すように、ターンテーブル７を出没可能にしてある。
このターンテーブル７の上部には、保持板９に保持されたクランパ８が対向しており、前記中心孔３ｂから突出するターンテーブル７とクランパ８との間に光ディスク１がクランプされる。
また、ターンテーブル７は、スピンドルモータ６のシャフトに固着されており、このスピンドルモータ６の駆動によって光ディスク１が回転する。
この回転時は、光ディスク１がクランプされているので、この光ディスク１の下面と載置部３の底板３ａとの間には小間隙が生じる。このため、光ディスク１の回転方向に沿って空気の流れが発生する。
本例では、この気流による風切り音を低減すべく、図３および図４に示すような気流制御部５を底板３ａ上に配設している。
この気流制御部５は、図４に示す如く平面視でハ字状の突起５ａと、逆ハ字状の突起５ｂとからなり（紙面では逆に表示）、複数個が相隣り合って配列される。
このため、ハ字状の突起５ａは、空気の流れる方向が、図４に示す直線の矢印方向の場合、空気流入側が幅広く空気流出側が幅狭となっている。
一方、逆ハ字状の突起５ｂは、空気流入側が幅狭で、空気流出側が幅広となっている。
このように構成された気流制御部５は、図１に示したように、前記載置部３の中心孔３ｂ側から周縁３ｃ近傍まで、径外方向に向けて放射状に７列を配設している。
これにより、光ディスク１が回転したとき、この回転方向（図４に示す直線の矢印方向）に沿って流れる空気が、各気流制御部５により漸次収束する気流と、漸次拡大する気流（図４に示す斜めの矢印方向）とにそれぞれ変化する。
すると、ハ字状の突起５ａおよび逆ハ字状の突起５ｂの各後方に小さな不規則性の渦流が生じ、風切り音の発生が抑制される。
すなわち、光ディスク１が回転すると、光ディスク１の下面と載置部３の底板３ａとの小間隙に空気の流れが生じる。この気流は、狭い空間では規則的な渦流を惹起するため、空気振動が発生し、騒音の原因となっていた。
しかし、本例では、複数の気流制御部５を中心孔３ｂ側から周縁３ｃの近傍まで放射状に配設しているため、各気流制御部５の間には、小さい渦流が不規則性に多数生じる。
これらの渦流は、相互に干渉し合って規則的な渦流（カルマン渦）の発生を抑える。
よって、空気振動が惹起されたり、空力音が殆ど生じることなく、光ディスク装置に特有の騒音のレベルが大幅に低減する。
図５は、本発明の他の実施形態に係る光ディスク装置のトレイを示す斜視図、図６は、同光ディスク装置のトレイを示す断面図である。
このトレイ２は、基本的構成が上記実施の形態と略同一であり、前記気流制御部５に変えて、底板３ａ上に図７および図８に示すような気流制御部１０を配設している。
この気流制御部１０は、図８に示す如く平面視で台形状の凹溝１０ａと、逆台形状の凹溝１０ｂとからなり（紙面では逆に表示）、複数個が相隣り合って突状部１１の上面に配列される。
この突状部１１は、図５に示すように、前記載置部３の中心孔３ｂ側から周縁近傍まで、径外方向に向けて放射状に７本が配設されている
これにより、空気の流れる方向が、図８に示す直線の矢印方向の場合、台形状の凹溝１０ａは、空気流入側が幅広く空気流出側が幅狭となる。
一方、逆台形状の凹溝１０ｂは、空気流入側が幅狭で、空気流出側が幅広となっている。
このため、光ディスク１が回転したとき、この回転方向に沿って流れる空気が各気流制御部１０により、漸次拡大する気流と漸次収束する気流とにそれぞれ変化する（図８に示す斜めの矢印方向）。
すると、各気流制御部１０の後方に小さな不規則性の渦流が生じ、規則的な渦流による空気振動の発生が抑制されて、風切り音が大幅に低減し、上記実施の形態と同じく騒音レベルが低減する。
なお、上記各実施形態では、気流制御部５，１０を７列設けたが、さらに多くしてより細かい渦流を発生させ、騒音レベルを一層低減させるようにしてもよい。
また、本発明は上記の各実施形態に限定されず、本発明の趣旨を逸脱しない範囲で、種々の変更が可能である。
【図面の簡単な説明】
【００１０】
【図１】本発明の一実施形態に係る光ディスク装置のトレイを示す斜視図である。
【図２】同光ディスク装置のトレイを示す断面図である。
【図３】同トレイに配設された気流制御部の側面図である。
【図４】同トレイに配設された気流制御部の平面図である。
【図５】他の実施形態に係る光ディスク装置のトレイを示す斜視図である。
【図６】同光ディスク装置のトレイを示す断面図である。
【図７】同トレイに配設された気流制御部の側面図である。
【図８】同トレイに配設された気流制御部の平面図である。
【符号の説明】
【００１１】
１    光ディスク
２    トレイ
３    載置部
３ａ  底板
３ｂ  中心孔
５    気流制御部
【図１】
2008282442.tif 000003
【図２】
2008282442.tif 000004
【図３】
2008282442.tif 000005
【図４】
2008282442.tif 000006
【図５】
2008282442.tif 000007
【図６】
2008282442.tif 000008
【図７】
2008282442.tif 000009
【図８】
2008282442.tif 000010